(57)【要約】【課題】頂部を開口するシールエンドカートンであって、開封することが容易であり、かつ、流通、販売等の開封前の段階での強度の低下を防いでいる形状のシールエンドカートンを提供することにある。【解決手段】本発明は、縦折れ線を介して側板、前板、側板、後板を連設して胴部を形成し、後板の上辺に折れ線を介して天下板を連設し、前板の上辺に折れ線を介して天板を連設し、天下板上に天板を重ねて貼り合わせて頂部を形成してなるシールエンドカートンにおいて、後板の上辺中央部に摘み部切れ目線により摘み部を設け、この摘み部切れ目線の両端から連続して、後板と天下板の折れ線上に開封切れ目線を、摘み部切れ目線の両端と折れ線との交点と折れ線の両端点の中間点までそれぞれ穿設し、この中間点から天下板の上方角点までそれぞれ天下切れ目線を設けたことを特徴とするシールエンドカートンである。【選択図】図１
2005206166.tif 000002
【特許請求の範囲】
【請求項１】
縦折れ線を介して側板、前板、側板、後板を連設して胴部を形成し、前記後板の上辺に折れ線を介して天下板を連設し、前記前板の上辺に折れ線を介して天板を連設し、天下板上に天板を重ねて貼り合わせて頂部を形成してなるシールエンドカートンにおいて、
前記後板の上辺中央部に摘み部切れ目線により摘み部を設け、前記摘み部切れ目線の両端から連続して、前記後板と前記天下板の前記折れ線上に開封切れ目線を、前記摘み部切れ目線の両端と該折れ線との交点と該折れ線の両端点の中間点までそれぞれ穿設し、該中間点から前記天下板の上方角点までそれぞれ天下切れ目線を設けたことを特徴とするシールエンドカートン。
【請求項２】
前記摘み部が後板中央に向かって膨らむ円弧状であることを特徴とする請求項１に記載のシールエンドカートン。
【発明の詳細な説明】
【技術分野】
【０００１】
本発明は、シールエンド部を開封する形状のシールエンドカートンに関するものであり、詳しくは、シールエンド部を容易に開封することができる形状の扁平状のシールエンドカートンに関するものである。
【背景技術】
【０００２】
従来、カートンとして、種々の形状が実用化されているが、シンプルな形で、高速充填包装適性が良好なシールエンドカートンの形状が幅広く使用されている。このシールエンドカートンの開封方法としては、ジッパー等を用いた種々の形態が採用されている。特に、偏平状のシールエンドカートンにおいては、図６に示すように、軽い指圧で破れるように後板１４の上辺中央部に円弧状の摘み部１４ａを摘み部切れ目線Ｘにより設け、さらに、その摘み部切れ目線Ｘの両端から、後板１４と天下板１９との折れ線ｈ上に両端まで開封切れ目線Ｙ、Ｙを設けた形状が広く使用されている。この形状のシールエンドカートン２の頂部Ｔを開封する時には、まず、摘み部１４ａを指先で押圧して摘み部切れ目線Ｘを破ることにより開封し、ついで、摘み部１４ａと共に天板１７および天下板１９を摘んで上方に引き上げて後板１４と天下板１９との折れ線ｈ上の両側に延設されている開封切れ目線Ｙ、Ｙを両端まで引き裂くことにより頂部Ｔを開封することができる（例えば、特許文献１参照。）。
【特許文献１】特開平７−６１４４３号公報
【発明の開示】
【発明が解決しようとする課題】
【０００３】
しかしながら、上記の従来のシールエンドカートンにおける開封方法では、摘み部を摘み部切れ目線で押し破って開封し、その後、摘み部切れ目線に連続して後板と天下板との折れ線上に両端まで設けられた開封切れ目線を引き裂いて頂部を開封する時に、開封切れ目線を折れ線の両端まで引き裂く途中の段階で開封切れ目線から外れて天板の内方に引き裂かれる傾向があり、そのため開封しにくく、また、外観上好ましくないという問題がある。また、開封切れ目線を後板と天下板との折れ線上に両端まで刻設することによって、シールエンドカートンの強度が弱くなり、流通、販売等の開封前の段階で、開封切れ目線が破断したり、頂部の縁が損傷しやすくなり、商品価値を損ない、食品衛生の点からも好ましくないという問題がある。
【０００４】
本発明は、上記問題点に対し適切且つ有効な解決手段として、頂部を開口するシールエンドカートンであって、開封することが容易であり、かつ、流通、販売等の開封前の段階での強度の低下を防いでいる形状のシールエンドカートンを提供するものである。
【課題を解決するための手段】
【０００５】
本発明は、前記問題点を解決すべく開発されたものであって、縦折れ線を介して側板、前板、側板、後板を連設して胴部を形成し、前記後板の上辺に折れ線を介して天下板を連設し、前記前板の上辺に折れ線を介して天板を連設し、天下板上に天板を重ねて貼り合わせて頂部を形成してなるシールエンドカートンにおいて、前記後板の上辺中央部に摘み部切れ目線により摘み部を設け、前記摘み部切れ目線の両端から連続して、前記後板と前記天下板の前記折れ線上に開封切れ目線を、前記摘み部切れ目線の両端と該折れ線との交点と該折れ線の両端点の中間点までそれぞれ穿設し、該中間点から前記天下板の上方角点までそれぞれ天下切れ目線を設けたことを特徴とするシールエンドカートンである。そして、前記摘み部が後板中央に向かって膨らむ円弧状であることを特徴としている。
【発明の効果】
【０００６】
本発明のシールエンドカートンでは、シールエンド部である頂部を開封する時、後板の上辺中央部に設けた摘み部を指で軽く押圧すると摘み部切れ目線が破れて摘み部が開封され、摘み部と共に天板、天下板を摘まんで上方に引き上げることによって、後板と天下板との折れ線に設けた開封切れ目線が中間点まで引き裂かれ、さらに、天下板の天下切れ目線に到達して天下板を分断することができ、かつ、この動作がスムースに連続して行うことができるため、頂部の開封を容易に行うことができるという効果を有している。
【０００７】
また、開封切れ目線が後板と天下板との折れ線上の両端まで設けられている形状に比べて、両端部を開封切れ目線が設けられていない部分としていることにより、カートン強度の低下を少なくし、流通、販売等の開封前の段階で、開封切れ目線が破断したり、頂部の縁が損傷したりして商品価値を損なうことを防ぐことができるという効果を有している。
【発明を実施するための最良の形態】
【０００８】
以下に、本発明の実施例を図面を参照しながら説明する。図１は、本発明のシールエンドカートンの外観を示す斜視図であり、図２は、そのシールエンドカートン１のブランクの展開図であり、図３は、本発明のシールエンドカートンを、組み立てる段階を示す斜視図であり、図４は、本発明のシールエンドカートンの天板と天下板を貼り合わせる接着パターンの例を示す図であり、図５は、本発明のシールエンドカートンの開封を説明する概略図であり、そして、図６は、従来のシールエンドカートンの外観を示す斜視図である。
【０００９】
本発明のシールエンドカートン１は、図１に示すように、外観上としては、後板１４の上辺中央部に摘み部１４ａを摘み部切れ目線ｘにより設け、この摘み部切れ目線ｘの端点ｐ、ｐから摘み部切れ目線ｘに連続して折れ線ｈ上の両外方の中間点ｑ、ｑまで開封切れ目線ｙ、ｙを設けた形状である。実際には、さらに、開封切れ目線ｙ、ｙに連続した形で頂部Ｔの天板１７の下側に重なる天下板１９には、天下切れ目線ｚ、ｚが天下板１９の両角点ｒ、ｒまで設けた形状である。
【００１０】
図２−ａは、そのシールエンドカートン１のブランクの展開図であって、側板１１、前板１２、側板１３、後板１４、糊代片１５を折れ線ａ、ｂ、ｃ、ｄを介して連接し、糊代片１５を側板１１の裏面に貼り合せてシールエンドカートン１の胴部を形成する。また、上記側板１１、前板１２、側板１３、後板１４の上辺には、それぞれ折れ線ｅ、ｆ、ｇ、ｈを介して天折り込み片１６、天板１７、天折り込み片１８、天下板１９を連接してあり、これらはシールエンドカートン１の形成の際に頂部Ｔを構成する。さらに、上記側板１１、前板１２、側板１３、後板１４の下辺には、それぞれ折れ線ｉ、ｊ、ｋ、ｌを介して底折り込み片２０、底板２１、底折り込み片２２、底下板２３を連接してあり、これらはシールエンドカートン１の形成の際に底部Ｂを構成する。
【００１１】
また、上記シールエンドカートン１の開封を容易にするため、図２−ｂの部分拡大図に示すように、後板１４の上辺中央部には、軽い指圧で破ることが可能な摘み部１４ａを輪郭を摘み部切れ目線ｘで形成する。この摘み部１４ａの輪郭は、後板１４の中央部に向かって膨らむ円弧状に形成する。この摘み部１４ａは、ミシン目、半切れ、リード罫等の摘み部切れ目線ｘで設けることができ、形状は、完全な円弧状である必要はなく、偏平した楕円の弧の形状であってもよく、例えば矩形や多角形などの形状とすることも可能であるが、指を挿入することによって容易に切り離すことができるようにするため、あるいは、摘み部切れ目線を容易に形成できるようにするためには、角をもたない形状、すなわち円弧や楕円の弧といった形状とすることが望ましい。
【００１２】
そして、摘み部切れ目線ｘの両端、すなわち、後板１４と天下板１９との折れ線ｈとの交点ｐ、ｐから折れ線ｈ上にそれぞれ外側方向に開封切れ目線ｙ、ｙを延設する。この開封切れ目線ｙ、ｙは、折れ線ｈの両端まで設けるのではなく、折れ線ｈの両端点ｓ、ｓと交点ｐ、ｐの中間である中間点ｑ、ｑまで延設している。この開封切れ目線ｙ、ｙは、ミシン目、リード罫、不連続なＬ字状切れ目等で設けることができる。
【００１３】
また、天下板１９には、この折れ線ｈ上の中間点ｑ、ｑから、天下板１９の上方両角点ｒ、ｒまで、それぞれ天下切れ目線ｚ、ｚを設けている。この天下切れ目線ｚ、ｚは、本実施例の切り込み以外に、ミシン目、リード罫、不連続なＬ字状切れ目等で設けることができる。
【００１４】
本発明のシールエンドカートン１の組み立てに際しては、まず、図３−ａに示すように、糊代片１５を側板１１に貼り合せて（サック貼）折り畳まれた状態の筒状のシールエンドカートン１を形成する。つぎに、この折り畳んだ状態のシールエンドカートン１を自動充填包装機に供給し、図３−ｂに示すように、底折り込み片２０、２２、底下板２３、底板２１を順次折り込み貼り合せて底部Ｂを形成する。つぎに、上開口部から内容物を充填した後、頂部Ｔにおいて、図３−ｃに示すように、天折り込み片１６、１８、天下板１９を折り込み、最後に天下板１９の上に天板１７を重ね両板を貼り合せてシールエンドカートン１の頂部Ｔを形成して充填包装を完了する。この天下板１９と天板１７の貼り合わせでは、図４−ａに示すように、天下板１９の天下切れ目線ｚ、ｚの間の領域内に接着パターンＨ１で貼り合わせる。この貼り合わせ方法によれば、頂部Ｔの開封を容易に行うことができる。また、図４−ｂ、図４−ｃに示すように、天下板１９の天下切れ目線ｚ、ｚの外側の領域でも貼り合わせる接着パターンＨ２、Ｈ３で貼り合わせることもできる。そして、この頂部Ｔはシールエンドカートンを一旦開封した後、シールエンドカートンを再封する際の蓋部を構成するものである。
【００１５】
本発明のシールエンドカートン１を開封するには、まず、図５−ａに示すように、後板１４の上辺中央部に設けた摘み部１４ａを指で軽く押圧すると摘み部切れ目線ｘが破れて摘み部１４ａが開封され、つぎに、図５−ｂに示すように、摘み部１４aと共に天板１７、天下板１９を摘まんで上方に引き上げることによって、図５−ｃに示すように、後板１４と天下板１９との折れ線ｈに設けた開封切れ目線ｙ、ｙが中間点ｑ、ｑまで引き裂かれ、さらに、図５−ｄに示すように、天下板１９の天下切れ目線ｚ、ｚに到達して天下板１９を容易に分断することができ、頂部Ｔを容易に開封することができる。
【００１６】
また、天下板１９の天下切れ目線ｚ、ｚの外側の領域でも貼り合わせた場合でも、接着パターンＨ２、Ｈ３で貼り合わせた天下板１９の天下切れ目線ｚ、ｚより外側の部分では、接着材層で剥離するか、あるいは、天板１７の裏面の層、あるいは、天下板１９の表面層が剥離して分断される状態となる。このように、天板１７の裏面の層、あるいは、天下板１９の表面層が剥離するには、本発明のシールエンドカートン１の材料は多層から構成された板紙とすることが好ましい。特に、裏面の層が剥離しやすい白板紙であるコートボールが好ましい。
【００１７】
このようにして、頂部Ｔを開口することができ、頂部Ｔは回動式蓋部となり、前板１２と天板１７との連接部である折れ線ｆはその蓋部の蝶番部となる。その際、後板１４の摘み部切れ目線ｘの切口は円弧状にえぐられているから内容物を取り出しやすく好都合である。そして、シールエンドカートンを開封しても胴部の前板１２は欠裁されないから前板１２に印刷で設けた文字・図柄を損なわない。
【産業上の利用可能性】
【００１８】
一般的なシールエンドカートンに広く利用することができる。特に、扁平状のシールエンドカートンには効果的に利用することができる。
【図面の簡単な説明】
【００１９】
【図１】本発明のシールエンドカートンの外観を示す斜視図である。
【図２】本発明のシールエンドカートンのブランクの展開図である。
【図３】本発明のシールエンドカートンを、組み立てる段階を示す斜視図である。
【図４】本発明のシールエンドカートンの天板と天下板を貼り合わせる接着パターンの例を示す図である。
【図５】本発明のシールエンドカートンの開封を説明する概略図である。
【図６】従来のシールエンドカートンの外観を示す斜視図である。
【符号の説明】
【００２０】
１    シールエンドカートン（本発明）
２    従来のシールエンドカートンの一例
Ｘ    摘み部切れ目線（従来のシールエンドカートン）
Ｙ    開封切れ目線（従来のシールエンドカートン）
１０    ブランク
１１    側板
１２    前板
１３    側板
１４    後板
１４ａ  摘み部
１５    糊代片
１６    天折り込み片
１７    天板
１８    天折り込み片
１９    天下板
２０    底折り込み片
２１    底板
２２    底折り込み片
２３    底下板
ａ〜ｌ  折れ線
Ｔ    頂部
Ｂ    底部
ｐ    交点（折れ線ｈ上）
ｑ    中間点（折れ線ｈ上）
ｒ    角点（天下板）
ｓ    端点（折れ線ｈ上）
ｘ    摘み部切れ目線
ｙ    開封切れ目線
ｚ    天下切れ目線
【図１】
2005206166.tif 000003
【図２】
2005206166.tif 000004
【図３】
2005206166.tif 000005
【図４】
2005206166.tif 000006
【図５】
2005206166.tif 000007
【図６】
2005206166.tif 000008